(57)【要約】【課題】部品点数を減らしてコスト、組立工数を削減することが可能な光ピックアップを提供する。【解決手段】光学式記録媒体にレーザ光を集光する対物レンズ１２を備えた可動部１１と、可動部１１を支持ワイヤ２０を介して変位可能に支持する支持部と、を有する光ピックアップにおいて、支持部は、ベースプレート２３と、このベースプレート２３に着脱自在に取付けられる保護カバー２８とを備え、ベースプレート２３と保護カバー２８とは、開口を有する空間を形成し、この空間に支持ワイヤ２０が通されるとともに緩衝材３１が充填される。【選択図】図２
2014106986.tif 000002
【特許請求の範囲】
【請求項１】
光学式記録媒体にレーザ光を集光するレンズを備えた可動部と、前記可動部を連結部材を介して変位可能に支持する支持部と、を有する光ピックアップにおいて、
前記支持部は、その基部と、この基部に取付けられるカバー部とを備え、
前記基部と前記カバー部とは、開口を有する空間を形成し、この空間に前記連結部材が通されるとともに緩衝材が充填されることを特徴とする光ピックアップ。
【請求項２】
前記支持部は、前記基部に取付けられて前記連結部材の一端部が固定される基板を備え、前記空間は、前記基板から離されて配置されることを特徴とする請求項１に記載の光ピックアップ。
【請求項３】
前記基部及び前記カバー部は、金属製の板材で形成されていることを特徴とする請求項１又は２に記載の光ピックアップ。
【請求項４】
前記空間は、直方体状であり、この直方体の一面に前記開口が形成され、この開口から前記緩衝材が注入されることを特徴とする請求項１乃至３のいずれか一項に記載の光ピックアップ。
【請求項５】
前記基板は、前記基部に前記空間を形成するために設けられた一つの壁部に取付けられることを特徴とする請求項２乃至４のいずれか一項に記載の光ピックアップ。
【請求項６】
前記壁部は、前記開口側の縁部に切欠きが形成されていることを特徴とする請求項５に記載の光ピックアップ。
【発明の詳細な説明】
【技術分野】
【０００１】
本発明は、対物レンズ等を備える可動部が連結部材を介して支持部に変位可能に連結される構造において、連結部材を弾性支持する緩衝材の保持部に改良が施された光ピックアップに関する。
【背景技術】
【０００２】
光ディスク装置等において光ディスクの信号を再生する若しくは記録する光ピックアップとしては、対物レンズ、レンズホルダ等から構成される可動部を、ヨークベース、ヨークベースに固定されて可動部を覆うアクチュエータカバー等を備えるベース部に対して変位可能に支持する複数本のワイヤを備え、これらのワイヤの基端部が、ワイヤ支持部材及びアクチュエータ基板の各貫通穴に通されて、アクチュエータ基板に半田固定され、ワイヤ支持部材（所謂ゲルホルダ）の貫通穴に充填されたゲル状物質で支持されたものが知られている（例えば、特許文献１参照）。
【先行技術文献】
【特許文献】
【０００３】
【特許文献１】特開２０１１−２１０３２６号公報
【発明の概要】
【発明が解決しようとする課題】
【０００４】
光ピックアップは、その構成部品が多いため、構成部品の部品点数を減らしてコスト、組立工数を削減することが望まれる。
本発明は、上述した事情を鑑みてなされたものであり、部品点数を減らしてコスト、組立工数を削減することが可能な光ピックアップを提供することを目的としている。
【課題を解決するための手段】
【０００５】
上述した課題を解決するため、本発明は、光学式記録媒体にレーザ光を集光するレンズを備えた可動部と、前記可動部を連結部材を介して変位可能に支持する支持部と、を有する光ピックアップにおいて、前記支持部は、基部と、この基部に取付けられるカバー部とを備え、前記基部と前記カバー部とは、開口を有する空間を形成し、この空間に前記連結部材が通されるとともに緩衝材が充填されることを特徴とする。
この構成によれば、支持部を構成する既存の基部及びカバー部で緩衝材が充填される空間を形成することができる。これにより、従来のゲルホルダが不要になり、部品点数を減らすことができ、コスト及び組立工数を削減することができる。
【０００６】
上記構成において、前記支持部は、前記基部に取付けられて前記連結部材の一端部が固定される基板を備え、前記空間は、前記基板から離されて配置されるようにしても良い。この構成によれば、緩衝材を充填する空間を基板から離して配置したことで、緩衝材の振動減衰効果を高めることができ、緩衝材の量が少なくても振動減衰性能を確保することができる。更に、緩衝材３１の量が少なくなることで、軽量化及びコスト削減を図ることができる。
また、上記構成において、前記基部及び前記カバー部は、金属製の板材で形成されていても良い。この構成によれば、金属製の板材を折り曲げて空間を容易に形成することができ、コストを抑えることができる。また、緩衝材を硬化させる際に、空間を構成する板材の表面で紫外線を反射させることができ、緩衝材の全体をより迅速に且つより均一に硬化させることができる。
【０００７】
また、上記構成において、前記空間は、直方体状であり、この直方体の一面に前記開口が形成され、この開口から前記緩衝材が注入されるようにしても良い。この構成によれば、開口を上にして硬化前の緩衝材を空間内へ容易に注入することができ、また、開口から緩衝材を硬化させる紫外線を緩衝材に向けて容易に照射することができる。
また、上記構成において、前記基板は、前記基部に前記空間を形成するために設けられた一つの壁部に取付けられるようにしても良い。この構成によれば、空間を形成する一つの壁部を利用して基板を取り付けることができ、特別に基板が取付けられる部分を設ける必要がなく、部品点数の増加を抑えることができる。
また、上記構成において、前記壁部は、前記開口側の縁部に切欠きが形成されていても良い。この構成によれば、切欠きによって開口に充填材を注入しやすくすることができる。
【発明の効果】
【０００８】
本発明によれば、支持部は、その基部と、この基部に着脱自在に取付けられるカバー部とを備え、基部とカバー部とは、開口を有する空間を形成し、この空間に連結部材が通されるとともに緩衝材が充填されるので、支持部を構成する既存の基部及びカバー部で緩衝材が充填される空間を形成することができる。これにより、従来のゲルホルダが不要になり、部品点数を減らすことができ、コスト及び組立工数を削減することができる。
【図面の簡単な説明】
【０００９】
【図１】本実施形態の光ピックアップを示す平面図である。
【図２】光ピックアップの要部を示す第１斜視図である。
【図３】図２のＩＩＩ矢視図である。
【図４】光ピックアップの要部を示す分解斜視図である。
【図５】光ピックアップの要部を示す第２斜視図である。
【図６】組立体の分解斜視図である。
【図７】組立体の要部を示す分解斜視図である。
【図８】ベースプレートと保護カバーとの係合を説明する分解斜視図である。
【図９】緩衝材充填部を示す要部斜視図である。
【図１０】図９のＸ−Ｘ線断面図である。
【発明を実施するための形態】
【００１０】
以下、図面を参照して本発明の一実施の形態について説明する。なお、図２において、矢印は、アクチュエータの駆動方向を示す。矢印Ｆはフォーカス方向、矢印Ｔはトラッキング方向である。
図１は、本実施形態の光ピックアップ１０を示す平面図である。
光ディスク装置等においては、光ディスクの信号の再生若しくは記録のために、光ピックアップ１０を搭載している。
光ピックアップ１０は、光ディスクの情報を光学的に読み取る、あるいは光ディスクに情報を光学的に書き込む装置であり、光ディスクにレーザ光を集光する対物レンズ１２等を備える可動部１１と、この可動部１１を複数の支持ワイヤ２０を介して変位可能に支持する支持部２１とを有する。
可動部１１は、対物レンズ１２と、この対物レンズ１２を支持するレンズホルダ１３と、このレンズホルダ１３を電磁的に駆動する駆動コイル１４等を備える。
支持部２１は、光ディスク装置の本体側にスライド可能に取付けられる樹脂製のスライドベース２２と、このスライドベース２２に取付けられた金属製のベースプレート２３、集積光学素子部２４、集積光学素子部２４を光ディスク装置の本体側に電気的に接続するフレキシブル配線板２６と、ベースプレート２３に取付けられたプリント基板２７、マグネット、金属製の保護カバー２８とを備える。
【００１１】
スライドベース２２は、可動部１１と、支持部２１の他の部分とを囲むように収容する部品である。
ベースプレート２３は、板材が折り曲げられて成形された部材である。集積光学素子部２４は、光源となるレーザ装置、受光素子、光学部材等を備えた部材群である。フレキシブル配線板２６は、集積光学素子部２４を光ディスク装置の本体側に電気的に接続している。プリント基板２７は、フレキシブル配線板２６に別のフレキシブル配線板を介して接続され、フレキシブル配線板２６が接続される光ディスク装置の本体側と支持ワイヤ２０とを電気的に接続する中継部である。保護カバー２８は、板材が折り曲げられて成形された部材であり、可動部１１及び支持部２１を保護している。
支持ワイヤ２０は、弾性を有する線状体からなる連結部材であり、光ピックアップ１０の両側部に２本ずつ配置されている。支持ワイヤ２０の一端は、可動部１１側に半田付けされて駆動コイル１４に電気的に導通し、他端は、プリント基板２７に半田付けされ、中間部のプリント基板２７寄りの部分は、ベースプレート２３と保護カバー２８とで形成される緩衝材充填部３０に充填された緩衝材で支持されて可動部１１に発生する振動を減衰させる。
【００１２】
図２は、光ピックアップの要部を示す第１斜視図であり、図１に示した光ピックアップ１０からスライドベース２２及びその周辺の部品を外し、プリント基板２７側を下にして立てた状態を示している。
図２に示すように、支持ワイヤ２０は、光ピックアップ１０（図１参照）の両側にそれぞれ２本ずつ配置され、一端がレンズホルダ１３側、他端がプリント基板２７に固定され、中間部が、レンズホルダ１３から側方に突出するワイヤ保持部１３ａ，１３ｂと、ベースプレート２３及び保護カバー２８で形成された緩衝材充填部３０に充填された緩衝材３１とによって保持されている。
ベースプレート２３における駆動コイル１４（図１参照）に対応する位置にヨークが設けられ、このヨークの近傍にマグネット３７が配置されている。可動部１１における駆動コイル１４、支持部２１におけるヨーク及びマグネット３７等によって、電磁的な駆動手段であるアクチュエータが構成され、このアクチュエータにより、光ピックアップ１０が図１に示した水平な状態において、対物レンズ１２を、矢印Ｆ及び矢印Ｔの方向へ駆動することができる。
【００１３】
図３は、図２のＩＩＩ矢視図である。
ベースプレート２３と保護カバー２８とは、それぞれの一部が近接あるいは当接することで開口３３を有する箱形容器状の緩衝材充填部３０を形成し、この緩衝材充填部３０内の空間３４に緩衝材３１が充填されている。図３では、緩衝材３１の形状の理解を容易にするために緩衝材３１にクロスハッチングを施している。
緩衝材３１は、例えば、粘弾性を持つ、紫外線硬化型のゲル状物質であり、緩衝材３１により支持ワイヤ２０を弾性支持することで可動部１１の不要な振動が減衰され、光ディスク装置の安定した記録・再生動作が可能となる。
【００１４】
図４は、光ピックアップの要部を示す分解斜視図、図５は、光ピックアップの要部を示す第２斜視図である。
図４及び図５に示すように、光ピックアップ１０（図１参照）の要部である組立体３６は、ベースプレート２３と、このベースプレート２３に取付けられたマグネット３７，３７及びプリント基板２７と、複数の支持ワイヤ２０と、レンズホルダ１３とから構成されている。
支持ワイヤ２０の端部は、プリント基板２７を貫通するとともに、プリント基板２７に半田付けされる。
【００１５】
保護カバー２８は、ベースプレート２３（詳しくはベース枠２３ｄ（図６参照））に載置又は近接配置される一対の載置部２８ａ，２８ａと、これらの載置部２８ａ，２８ａから上方に延びて可動部１１（図１参照）及び支持部２１（図１参照）の主要部を保護する保護部２８ｂ，２８ｃと、ベースプレート２３に係合するために一方の保護部２８ｂに設けられた一対の第１係合部２８ｄ，２８ｄと、ベースプレート２３に係合するために他方の保護部２８ｃから下方に延びる第２係合部２８ｅと、緩衝材充填部３０を形成するために保護部２８ｃから第２係合部２８ｅの両側方に延びる一対の充填部形成部２８ｆ，２８ｆとが板材で一体に曲げ成形された部材である。
【００１６】
保護部２８ｂは、載置部２８ａ，２８ａから上方に延びる脚部２８ｈ，２８ｈと、これらの脚部２８ｈ，２８ｈの上端部間に渡された上部延出部２８ｊとからなり、脚部２８ｈ，２８ｈは側方から、上部延出部２８ｊは上方から可動部１１及び支持部２１を保護する。保護部２８ｃは、載置部２８ａ，２８ａから斜め上方に延びる脚部２８ｋ，２８ｋと、これらの脚部２８ｋ，２８ｋの上端部間に渡された上部延出部２８ｍと、この上部延出部２８ｍから連続するように延びる副延出部２８ｎとからなり、脚部２８ｋ，２８ｋは側方から、上部延出部２８ｍ及び副延出部２８ｎは上方から可動部１１及び支持部２１を保護する。副延出部２８ｎには、第２係合部２８ｅ及び充填部形成部２８ｆ，２８ｆが設けられる。
【００１７】
第１係合部２８ｄは、保護部２８ｂの脚部２８ｈ，２８ｈに形成された部分であり、ベースプレート２３に形成された第１縦壁２３ａに係合される。
第２係合部２８ｅは、副延出部２８ｎの縁部から下方に延びる下方延出部２８ｇと、この下方延出部２８ｇの下端から斜め下方に延びる傾斜部２８ｕとからなり、下方延出部２８ｇに係合穴２８ｐが開けられ、この係合穴２８ｐが、ベースプレート２３に形成された第２縦壁２３ｂの係合突起２３ｃに係合する。
充填部形成部２８ｆは、副延出部２８ｎの両側端部から下方に延びる内壁２８ｑと、この内壁２８ｑの端部から外側方にほぼ直角に延びる端部壁２８ｒと、この端部壁２８ｒの上端から上部延出部２８ｍ側にほぼ直角に延びる上壁２８ｓとからなり、端部壁２８ｒに支持ワイヤ２０が通されるワイヤ挿通穴２８ｔ，２８ｔが開けられている。
【００１８】
図６は、組立体３６の分解斜視図、図７は、組立体の要部を示す分解斜視図である。
図６及び図７に示すように、レンズホルダ１３は、対物レンズ１２が装着されるレンズ装着部１３ｃが設けられ、駆動コイル１４（図１参照）としてフォーカスコイル及びトラッキングコイルが取付けられる。
ベースプレート２３は、矩形枠状のベース枠２３ｄと、このベース枠２３ｄの一端部から対向するように上方に延びる第１縦壁２３ａ及び第１ヨーク２３ｅと、ベース枠２３ｄの他端部から対向するように上方に延びる第２縦壁２３ｂ及び第２ヨーク２３ｆと、ベース枠２３ｄの他端部から水平に延びる一対の端部水平延出部２３ｇ，２３ｇと、これらの端部水平延出部２３ｇ，２３ｇの側部から上方に延びる端部上方延出部２３ｈ，２３ｈとが一体に板材で曲げ成形された部材である。
【００１９】
第１縦壁２３ａ、第２縦壁２３ｂにはマグネット３７が取付けられている。第１ヨーク２３ｅ，第２ヨーク２３ｆは、レンズホルダ１３のレンズ装着部１３ｃの外側に形成される開口部１３ｄ，１３ｅにそれぞれ挿入される。端部水平延出部２３ｇ及び端部上方延出部２３ｈは、ベースプレート２３において緩衝材充填部３０（図２参照）を形成する部分である。端部上方延出部２３ｈ，２３ｈは、水平に延びる水平延出片２３ｊ，２３ｊを備え、これらの水平延出片２３ｊ，２３ｊでプリント基板２７が支持される。即ち、プリント基板２７に形成された一対の矩形穴２７ａ，２７ａに水平延出片２３ｊ，２３ｊが挿入されてプリント基板２７が支持される。なお、符号２７ｂは支持ワイヤ２０を挿入して半田付けするためにプリント基板２７に開けられたワイヤ挿通穴である。
【００２０】
図８は、ベースプレート２３と保護カバー２８との係合を説明する分解斜視図である。
保護カバー２８の第１係合部２８ｄは、保護部２８ｂの脚部２８ｈから内側方に延びるＬ字形状の内方延出部２８ｖと、この内方延出部２８ｖの下端から斜め下方に延びる傾斜部２８ｗとからなり、内方延出部２８ｖに備える水平縁部２８ｘが、ベースプレート２３の第１縦壁２３ａに形成された係合突起２３ｍに係合する。
このように、保護カバー２８の第１係合部２８ｄ，２８ｄ及び第２係合部２８ｅ（図４参照）の３カ所を、ベースプレート２３の第１縦壁２３ａ及び第２縦壁２３ｂ（図４参照）に係合させることで、保護カバー２８をベースプレート２３に容易に組み付けることができる。なお、符号２３ｎはベースプレート２３の端部上方延出部２３ｈの縁部に形成された切欠きである。
【００２１】
図９は、緩衝材充填部３０を示す要部斜視図であり、緩衝材３１（図２参照）を充填する前の状態を示している。
緩衝材充填部３０は、ベースプレート２３の２つの壁である端部水平延出部２３ｇ及び端部上方延出部２３ｈと、保護カバー２８の３つの壁である内壁２８ｑ、端部壁２８ｒ及び上壁２８ｓとから形成され、この緩衝材充填部３０内の空間３４に緩衝材３１が充填される。即ち、ベースプレート２３に保護カバー２８を組付ける（係合させる）ことで緩衝材充填部３０が出来上がる。端部壁２８ｒに形成されるワイヤ挿通穴２８ｔは、支持ワイヤ２０に干渉しない内径に形成されている。空間３４内に注入される硬化前の緩衝材３１は、大きな粘性を有するため、ワイヤ挿通穴２８ｔの内径が多少大きくても、また、ベースプレート２３側の各部と保護カバー２８側の各部との隙間が多少大きくても、その内径や隙間を所定値内に管理すれば、空間３４から漏れることはない。
【００２２】
緩衝材３１は、ゲル状物質を定量吐出可能な装置であるディスペンサによって、緩衝材充填部３０の開口３３から空間３４内に注入される。ベースプレート２３の端部上方延出部２３ｈに切欠き２３ｎが形成されているので、開口３３に緩衝材３１を注入しやすくすることができる。緩衝材３１を注入した後、開口３３に対して位置決めした光ファイバから、緩衝材３１に紫外線を照射して硬化させる。緩衝材３１は、硬化しても弾性を有するため、振動減衰性能を発揮することが可能である。
【００２３】
図１０は、図９のＸ−Ｘ線断面図である。
支持ワイヤ２０の端部がプリント基板２７のワイヤ挿通穴２７ｂに通されるとともにプリント基板２７に設けられた金属製の導通部に半田付けされ、プリント基板２７から支持ワイヤ２０に沿って所定距離Ｌだけ離れた位置に緩衝材充填部３０の空間３４が形成され、この空間３４に緩衝材３１が充填されているため、例えば、緩衝材３１をプリント基板２７に接触させる、あるいはプリント基板２７に近接させて配置するのに比べて、プリント基板２７から離れるにつれて大きくなる支持ワイヤ２０の振幅が抑えることができ、振動減衰効果を高めることができる。従って、緩衝材３１が少量でも所定の減衰性能を確保することができ、軽量化及びコスト削減を図ることができる。
【００２４】
以上の図１、図２及び図９に示したように、光学式記録媒体にレーザ光を集光するレンズとしての対物レンズ１２を備えた可動部１１と、この可動部１１を連結部材としての支持ワイヤ２０を介して変位可能に支持する支持部２１と、を有する光ピックアップ１０において、支持部２１は、基部としてのベースプレート２３と、このベースプレート２３に取付けられるカバー部としての保護カバー２８とを備え、ベースプレート２３と保護カバー２８とは、開口３３を有する空間３４を形成し、この空間３４に支持ワイヤ２０が通されるとともに緩衝材３１が充填される。
【００２５】
この構成によれば、支持部２１を構成する既存のベースプレート２３及び既存の保護カバー２８で緩衝材３１が充填される空間３４を形成することができる。これにより、ゲル状物質を保持する従来のゲルホルダが不要になり、部品点数を減らすことができ、コスト及び組立工数を削減することができる。このように、支持ワイヤ２０を緩衝材３１で保持する構造を容易に形成することができる。更に、空間３４をベースプレート２３と保護カバー２８とで形成するため、空間３４を一つの部品で形成するのに比べて、ベースプレート２３及び保護カバー２８における空間３４を形成する部分の形状を簡素にすることができる。
【００２６】
また、図３及び図１０に示したように、支持部２１は、ベースプレート２３に取付けられて支持ワイヤ２０の一端部が固定される基板としてのプリント基板２７を備え、空間３４は、プリント基板２７から離されて配置されるので、緩衝材３１の振動減衰効果を高めることができ、緩衝材３１の量が少なくても振動減衰性能を確保することができる。更に、緩衝材３１の量が少なくなることで、軽量化及びコスト削減を図ることができる。
また、図４及び図７に示したように、ベースプレート２３及び保護カバー２８は、金属製の板材で形成されているので、金属製の板材をそれぞれ折り曲げ、当接又は近接するように組み立てることで空間３４を容易に形成することができ、コストを抑えることができる。また、緩衝材３１を硬化させる際に、空間３４を構成する板材の表面で紫外線を反射させることができ、緩衝材３１の全体をより迅速に且つより均一に硬化させることができて、生産性及び品質を高めることができる。
【００２７】
また、図２、図９及び図１０に示したように、空間３４は、直方体状であり、この直方体の一面に開口３３が形成され、この開口３３から緩衝材３１が注入されるので、開口３３を上にして硬化前の緩衝材３１を空間３４内へ容易に注入することができ、また、開口３３から緩衝材３１を硬化させる紫外線を緩衝材３１に向けて容易に照射することができる。
また、図２、図７及び図９に示したように、プリント基板２７は、ベースプレート２３に空間３４を形成するために設けられた一つの壁部としての端部上方延出部２３ｈに取付けられるので、空間３４を形成するために一つの端部上方延出部２３ｈを利用するため、特別にプリント基板２７が取付けられる部分を設ける必要がなく、部品点数の増加を抑えることができる。
また、端部上方延出部２３ｈは、開口３３側の縁部に切欠き２３ｎが形成されているので、切欠き２３ｎによって開口３３に緩衝材３１を注入しやすくすることができ、作業性を向上させることができる。
【００２８】
上述した実施形態は、あくまでも本発明の一態様を示すものであり、本発明の主旨を逸脱しない範囲で任意に変形及び応用が可能である。
例えば、上記実施形態において、図２及び図１０に示したように、支持ワイヤ２０を２本保持する緩衝材３１の空間３４を形成したが、これに限らず、支持ワイヤ２０を１本ずつ保持する緩衝材３１の空間を形成しても良い。これにより、緩衝材３１の量を支持ワイヤ２０が２本の場合よりも少なくすることができる。
また、図９に示したように、空間３４を形成するために、ベースプレート２３に２つの壁部としての端部水平延出部２３ｇ及び端部上方延出部２３ｈを設け、保護カバー２８に３つの壁部としての内壁２８ｑ、端部壁２８ｒ、上壁２８ｓを設けたが、これに限らず、ベースプレート２３に１つ、３つ又は４つの壁部を設け、これらの壁部の数に対応させて、保護カバー２８に４つ、２つ又は１つの壁部を設けても良い。
【符号の説明】
【００２９】
１０  光ピックアップ
１１  可動部
１２  対物レンズ（レンズ）
２０  支持ワイヤ（連結部材）
２１  支持部
２２  スライドベース
２３  ベースプレート（基部）
２３ｈ  端部上方延出部（壁部）
２３ｎ  切欠き
２７  プリント基板（基板）
２８  保護カバー（カバー部）
３０  緩衝材充填部
３１  緩衝材
３３  開口
３４  空間
【図１】
2014106986.tif 000003
【図２】
2014106986.tif 000004
【図３】
2014106986.tif 000005
【図４】
2014106986.tif 000006
【図５】
2014106986.tif 000007
【図６】
2014106986.tif 000008
【図７】
2014106986.tif 000009
【図８】
2014106986.tif 000010
【図９】
2014106986.tif 000011
【図１０】
2014106986.tif 000012